(57)【要約】【課題】  有色領域と無色領域との境界部分の色ずれを抑制する画像処理装置及び画像形成装置を提供する。【解決手段】  本発明は、画像処理装置により処理した画像を媒体に形成する画像形成装置に関する。そして、画像処理装置は、第１の画像上の有色領域と無色領域との境界を検出する境界検出手段と、第１の画像の有色領域の境界を、無色領域側に所定の拡張幅分拡張した第２の画像を作成する境界拡張画像作成手段と、第２の画像の有色領域のうち、境界拡張画像作成手段により拡張された拡張領域を隠蔽色で隠蔽するための第３の画像を作成する隠蔽画像作成手段とを有することを特徴とする。【選択図】      図１
2016071067.tif 000002
【特許請求の範囲】
【請求項１】
第１の画像上の有色領域と無色領域との境界を検出する境界検出手段と、
前記第１の画像の有色領域の境界を、無色領域側に所定の拡張幅分拡張した第２の画像を作成する境界拡張画像作成手段と、
前記第２の画像の有色領域のうち、前記境界拡張画像作成手段により拡張された拡張領域を隠蔽色で隠蔽するための第３の画像を作成する隠蔽画像作成手段と
を有することを特徴とする画像処理装置。
【請求項２】
前記第２の画像及び前記第３の画像を、画像形成を行う画像形成手段に供給する出力手段をさらに有することを特徴とする請求項１に記載の画像処理装置。
【請求項３】
前記境界拡張画像作成手段は、前記拡張幅として、前記画像形成手段で発生する色ずれの量を考慮した幅を適用することを特徴とする請求項２に記載の画像処理装置。
【請求項４】
前記隠蔽画像作成手段は、前記拡張領域と、前記画像形成手段で発生する色ずれの量を考慮した領域とを含む隠蔽領域を隠蔽色とする画像を、前記第３の画像として作成することを特徴とする請求項３に記載の画像処理装置。
【請求項５】
前記隠蔽領域は、前記拡張領域と、前記拡張領域をさらに前記拡張幅分拡張した領域とを含む領域であることを特徴とする請求項４に記載の画像処理装置。
【請求項６】
第１の画像上の有色領域と無色領域との境界を検出する境界検出手段と、
前記第１の画像の有色領域の境界を、無色領域側に所定の拡張幅分拡張した第２の画像を作成する境界拡張画像作成手段と、
前記第２の画像の有色領域のうち、前記境界拡張画像作成手段により拡張された拡張領域を隠蔽色で隠蔽するための第３の画像を作成する隠蔽画像作成手段と、
前記第２の画像及び前記第３の画像を合成した画像を媒体に形成する画像形成手段と
を有することを特徴とする画像形成装置。
【請求項７】
前記画像形成手段は、前記媒体に画像形成を行う際、前記第２の画像の現像剤像の上に、前記第３の画像の現像剤像を形成することを特徴とする請求項６に記載の画像形成装置。
【発明の詳細な説明】
【技術分野】
【０００１】
この発明は、画像処理装置及び画像形成装置に関し、例えば、複数色の現像剤を用いた画像形成を行う電子写真式のプリンタに適用し得る。
【背景技術】
【０００２】
従来、複数色のトナー（現像剤）を用いた印刷（画像形成）を行う画像形成装置では、トナーの色毎に別個のユニットを用いて現像剤像を現像して転写するため、用紙（媒体）にトナー像（現像剤像）を転写するときに、各色のトナー像がずれて転写された状態（いわゆる色ずれ（色ズレ）が発生した状態）となる場合がある。
【０００３】
従来の画像形成装置において色ずれに対応する技術としては、例えば、トラッピング処理（例えば、特許文献１参照）等がある。
【先行技術文献】
【特許文献】
【０００４】
【特許文献１】特開２００８−７２６７０号公報
【発明の概要】
【発明が解決しようとする課題】
【０００５】
しかしながら、従来の色ずれに対応する画像形成装置でも、有色領域（いずれかの色のトナーが転写される領域）と、無色領域（いずれのトナーも転写されない領域）の境界部分（エッヂ部分）の色ずれを抑制することができないという問題があった。
【０００６】
そのため、有色領域と無色領域との境界部分（エッヂ部分）の色ずれを抑制することができる画像処理装置及び画像形成装置が望まれている。
【課題を解決するための手段】
【０００７】
第１の本発明の画像処理装置は、（１）第１の画像上の有色領域と無色領域との境界を検出する境界検出手段と、（２）前記第１の画像の有色領域の境界を、無色領域側に所定の拡張幅分拡張した第２の画像を作成する境界拡張画像作成手段と、（３）前記第２の画像の有色領域のうち、前記境界拡張画像作成手段により拡張された拡張領域を隠蔽色で隠蔽するための第３の画像を作成する隠蔽画像作成手段とを有することを特徴とする。
【０００８】
第２の本発明の画像形成装置は、（１）第１の画像上の有色領域と無色領域との境界を検出する境界検出手段と、（２）前記第１の画像の有色領域の境界を、無色領域側に所定の拡張幅分拡張した第２の画像を作成する境界拡張画像作成手段と、（３）前記第２の画像の有色領域のうち、前記境界拡張画像作成手段により拡張された拡張領域を隠蔽色で隠蔽するための第３の画像を作成する隠蔽画像作成手段と、（４）前記第２の画像及び前記第３の画像を合成した画像を媒体に形成する画像形成手段とを有することを特徴とする。
【発明の効果】
【０００９】
本発明によれば、有色領域と無色領域との境界部分の色ずれを抑制する画像処理装置及び画像形成装置を提供することができる。
【図面の簡単な説明】
【００１０】
【図１】実施形態に係る画像形成装置の機能的構成について示したブロック図である。
【図２】実施形態に係る画像形成装置の概略断面図である。
【図３】実施形態に係る通常色印刷用イメージ（元画像）の構成について示した説明図である。
【図４】実施形態に係る通常色印刷用イメージ（元画像）を、そのまま印刷した場合の例について示した説明図である。
【図５】実施形態に係る制御部（画像処理装置）の画像処理例について示した説明図（その１）である。
【図６】実施形態に係る制御部（エッヂ拡張処理部及び色ズレ隠蔽用白画像作成部）の画像処理例について示した説明図（その２）である。
【図７】実施形態に係る制御部（エッヂ拡張処理部、及び色ズレ隠蔽用白画像作成部）が行う画像処理を注目画素単位で示した説明図（その１）である。
【図８】実施形態に係る制御部（エッヂ拡張処理部、及び色ズレ隠蔽用白画像作成部）が行う画像処理を注目画素単位で示した説明図（その２）である。
【図９】実施形態に係る画像形成装置の全体の処理について示したフローチャートである。
【図１０】実施形態に係るエッヂ拡張処理部の処理について示したフローチャート（その１）である。
【図１１】実施形態に係るエッヂ拡張処理部の処理について示したフローチャート（その２）である。
【図１２】実施形態に係るエッヂ拡張処理部の処理について示したフローチャート（その３）である。
【図１３】実施形態に係るエッヂ拡張処理部の処理について示したフローチャート（その４）である。
【図１４】実施形態に係る色ズレ隠蔽用白画像作成部の処理について示したフローチャート（その１）である。
【図１５】実施形態に係る色ズレ隠蔽用白画像作成部の処理について示したフローチャート（その２）である。
【図１６】実施形態に係る色ズレ隠蔽用白画像作成部の処理について示したフローチャート（その３）である。
【図１７】実施形態に係る色ズレ隠蔽用白画像作成部の処理について示したフローチャート（その４）である。
【発明を実施するための形態】
【００１１】
（Ａ）主たる実施形態
以下、本発明による画像処理装置及び画像形成装置の一実施形態を、図面を参照しながら詳述する。
【００１２】
（Ａ−１）実施形態の構成
図１は、この実施形態の画像形成装置１０１の機能的構成について示した説明図である。図２は、この実施形態の画像形成装置１０１の概略断面図である。
【００１３】
画像形成装置１０１は、機能的には、装置全体の制御を行う制御部１２０と、制御部１２０の制御に従って用紙Ｐに印刷（画像形成）を行う画像形成手段としての印刷部１１０と、ユーザへの情報提示やユーザからの操作入力を受付け可能なオペレータパネル１３０を有している。
【００１４】
この実施形態の画像形成装置１０１を構成する印刷部１１０は、カラー電子写真方式である。印刷部１１０では、ブラック（Ｂ）、シアン（Ｃ）、マゼンタ（Ｍ）、イエロー（Ｙ）、ホワイト（Ｗ）の各色のトナー像を形成する感光ドラム２０１Ｂ、２０１Ｃ、２０１Ｍ、２０１Ｙ、２０１Ｗが用紙Ｐの搬送経路に沿って配置されている。
【００１５】
印刷部１１０では、後述する色ズレに対応する処理のために、ホワイト（Ｗ）に対応する感光ドラム２０１Ｗが用紙Ｐの搬送経路の最下流（最後段）に配置されているものとする。
【００１６】
また、印刷部１１０には、各感光ドラム２０１に対して、ＬＥＤヘッド２０２、帯電ローラ２０５、現像ローラ２０６、及び転写ローラ２０８が配置されている。また、印刷部１１０には、用紙Ｐを堆積して繰出すための給紙トレイ２０３、及び定着器２１０が配置されている。
【００１７】
帯電ローラ２０５は、感光ドラム２０１に電荷を供給して帯電させるものである。ＬＥＤヘッド２０２は、帯電された各感光ドラム２０１の表面に画像データをもとに選択的に光を照射して、静電潜像を形成するものである。現像ローラ２０６は、感光ドラム２０１の表面に形成された静電潜像をトナーにより現像し、トナー像を形成するものである。トナーカートリッジ２０７は、現像ローラ２０６にトナー（対応する感光ドラム２０１に対応する色のトナー）を供給するものである。
【００１８】
また、画像形成装置１０１には、用紙Ｐを搬送する転写ベルト２０４と、各感光ドラム２０１上に形成されたトナー像（トナーにより静電潜像を現像した像）を用紙Ｐ上に転写する転写ローラ２０８が配置されている。感光ドラム２０１と転写ローラ２０８は、転写ベルト２０４と共に用紙Ｐを転写部で挟み込みながら、トナー像を用紙Ｐに転写する。
【００１９】
定着器２０７は、用紙Ｐ上に形成されたトナー像を熱及び圧力で定着させる。
【００２０】
次に、制御部１２０内、各構成要素について説明する。
【００２１】
制御部１２０は、機能的に印刷データ受信部１０２、ＰＤＬデータ解析部１０３、ページ画像形成部１０４、通常色印刷データ格納部１０５、エッヂ拡張処理部１０６、色ズレ隠蔽用白画像作成部１０７を有している。
【００２２】
この実施形態では、エッヂ拡張処理部１０６が、拡張画像作成手段として機能する。また、この実施形態では、色ズレ隠蔽用白画像作成部１０７が隠蔽画像作成手段として機能する。さらにこの実施形態では、エッヂ拡張処理部１０６及び色ズレ隠蔽用白画像作成部１０７が境界検出手段及び出力手段として機能する。
【００２３】
この実施形態の画像処理装置としての制御部１２０は、一部又は全部の機能ブロックをコンピュータにプログラム（この実施形態の画像処理プログラムを含む）を用いて実現するようにしてもよい。制御部１２０は、受信した印刷ジョブのデータ（印刷データ）に含まれる印刷画像（第１の画像）を入力とし、印刷部１１０に印刷させる画像を生成する処理を行う。
【００２４】
印刷データ受信部１０２は、図示しない外部のホストコンピュータ（例えば、プリンタドライバを搭載したＰＣ）から送信された印刷ジョブのデータ（印刷データ）を、ネットワーク等から受信する受信部である。また、印刷データ受信部１０２は、受信した印刷ジョブのデータ（印刷データ）をＰＤＬデータ解析部１０３に供給して解析依頼をする。
【００２５】
ＰＤＬデータ解析部１０３は、印刷ジョブの印刷データ（この実施形態では、ＰＤＬ（Ｐａｇｅ  Ｄｅｓｃｒｉｐｔｉｏｎ  Ｌａｎｇｕａｇｅ）形式のデータ）が供給されると、当該印刷データについてページ単位の情報を抽出作成（展開）する。ＰＤＬデータ解析部１０３は、ページ単位の解析結果を、内部データ形式であるディスプレイリストとして生成する。ＰＤＬデータ解析部１０３により生成されたページ単位のディスプレイリストは、ページ画像形成部１０４に供給される。
【００２６】
この実施形態では、ブラック、シアン、マゼンタ、及びイエローの色を「通常色」とよぶものとする。この実施形態では、色ズレを隠蔽するための隠蔽色（遮蔽色）としてホワイトの色のトナーが用いられるものとする。また、この実施形態では、隠蔽色（ホワイト）の色のトナーで画像が形成される領域を隠蔽部（隠蔽領域）と呼ぶものとする。さらに、以下では画像上でトナーが転写される領域を有色部と呼び、トナーが転写されない領域を無色部と呼ぶものとする。
【００２７】
ページ画像形成部１０４は、供給されたディスプレイリストを元にレンダリングを実行し、通常色のトナーにより形成される画像のデータを、通常色印刷データとして作成する。
【００２８】
この実施形態では、通常色印刷データは、１画素が３２Ｂｉｔで構成され、同一場所に描画されるべき各色が、隣接したアドレスに配置されることが特徴の３２Ｂｉｔパック形式にて構成されるものとする。通常色印刷データの画像を構成する色空間としては、ＣＭＹＫ色空間が適用されるものとする。通常色印刷データでは、アドレスの若い順に、シアン、マゼンタ、イエロー、ブラックの順に並ぶ。ページ画像形成部１０４は、完成した各ページの通常色印刷データを、通常色印刷データ格納部１０５に格納する。
【００２９】
次に、エッヂ拡張処理部１０６及び色ズレ隠蔽用白画像作成部１０７が行う画像処理について図３〜図６を用いて説明する。
【００３０】
図６は、エッヂ拡張処理部１０６及び色ズレ隠蔽用白画像作成部１０７が行う画像処理の詳細について示した説明図である。
【００３１】
エッヂ拡張処理部１０６は、通常色印刷データ格納部１０５に格納された通常色印刷データを参照し、画素単位で有色部と無色部の境界（エッヂ部分）を判別する。図６（ａ）は、通常色印刷データに基づく元画像（以下、「通常色印刷用イメージ６０１」とも呼ぶ）について示している。図６（ｂ）は、エッヂ拡張処理部１０６が通常色印刷用イメージ６０１に基づいて生成する画像（以下、「エッヂ画素拡張画像６０２」又は「第２の画像」と呼ぶ）について示している。さらに、図６（ｃ）は、色ズレ隠蔽用白画像作成部１０７が、通常色印刷用イメージ６０１に基づいて生成する画像（以下、「色ズレ隠蔽用白画像６０３」、又は「第３の画像」と呼ぶ）について示している。
【００３２】
エッヂ拡張処理部１０６は、図６（ｂ）に示すように、通常色印刷用イメージ６０１に対して、有色部のエッヂ部分の画素を無色部側の方向に所定幅（以下、「エッヂ拡張幅」と呼ぶ）だけ拡張する処理（以下、「エッヂ拡張処理」と呼ぶ）を行い、エッヂ画素拡張画像６０２を生成する。エッヂ拡張幅についてはドット単位で任意の幅を適用することができる。エッヂ拡張幅は、印刷部１１０の印刷精度を考慮した幅（印刷精度に応じた幅）とすることが望ましい。この実施形態では、印刷部１１０で発生する最大の色ズレの幅（色ズレの最大量）を２ドットであるものと仮定し、エッヂ拡張幅も同じく２ドットであるものとして説明する。さらに、以下では、エッヂ拡張処理がなされた領域を「エッヂ拡張部」又は「エッヂ拡張領域」と呼ぶものとする。さらにまた、以下では、通常色印刷データに基づく通常色印刷用イメージ６０１（エッヂ拡張処理前の画像）を「元画像」と呼ぶものとする。そして、エッヂ拡張処理部１０６は、印刷部１１０に対して、エッヂ画素拡張画像６０２を通常色により表現した画像の印刷（用紙Ｐに対する画像形成）を実行させる。
【００３３】
色ズレ隠蔽用白画像作成部１０７は、図６（ｃ）に示すように、エッヂ画素拡張画像６０２を用紙Ｐに印刷したときに、エッヂ拡張部を隠蔽色であるホワイトで隠蔽するための色ズレ隠蔽用白画像６０３を生成する。この実施形態では、色ズレ隠蔽用白画像作成部１０７は、エッヂ拡張部と、エッヂ拡張部の印刷により色ズレが発生した領域とを含む領域を隠蔽色であるホワイトで隠蔽するための色ズレ隠蔽用白画像６０３を生成する。以下では、色ズレ隠蔽用白画像６０３で、隠蔽色の画像が形成される領域（隠蔽色が形成される領域）を隠蔽色部と呼ぶものとする。
【００３４】
隠蔽色部は、エッヂ拡張部及び、エッヂ拡張部について、さらに無色部側にエッヂ拡張幅分エッヂを拡張した領域とすることが望ましい。ここでは、エッヂ拡張幅を２ドットとしたので、隠蔽色部は概ね４ドット幅の帯状の領域（元画像の有色部を囲うように分布した帯状の領域）となる。そして、色ズレ隠蔽用白画像作成部１０７は、印刷部１１０に対して、色ズレ隠蔽用白画像６０３を隠蔽色（ホワイト）により表現した画像の形成を実行させる。これにより、用紙Ｐでは、通常色で表現されたエッヂ画素拡張画像６０２の上にホワイトで色ズレ隠蔽用白画像６０３が転写されることになる。
【００３５】
次に、印刷部１１０で印刷される画像の詳細について、図３〜図５を用いて説明する。
【００３６】
図３は、通常色印刷データに基づく元画像について示した説明図である。
【００３７】
図３（ａ）は、通常色印刷データに基づく元画像の有色部３０１（本来印刷したい理想的な有色部の領域）を拡大して示した図である。図３（ｂ）は、図３（ａ）の一部の領域３０２（エッヂの領域を含む領域）を拡大して示した図である。図３に示すように、以下では、元画像（通常色印刷データ）における有色部と無色部の境界（境界線）をエッヂＥ１と呼ぶものとする。
【００３８】
図４は、仮に、印刷部１１０が元画像（通常色印刷データ）を、そのまま用紙Ｐに印刷した場合の用紙Ｐ上の画像の例にについて示した説明図である。図４（ａ）は、仮に、印刷部１１０が元画像（通常色印刷データ）を、そのまま用紙Ｐに印刷した場合の有色部４０１の分布を示している。図４（ｂ）は、図４（ａ）の一部の領域４０２（エッヂの領域を含む領域）を拡大して示した説明図である。図４（ｃ）は、図４（ｂ）のＡ１−Ａ２線断面図（有色部４０１のエッヂ部分を含む領域の断面図）である。
【００３９】
図４（ｃ）に示すように、用紙Ｐ上の有色部４０１は、下の層から順にブラック、イエロー、マゼンタ、シアンの順序で通常色の画像が形成されている。
【００４０】
上述の通り、印刷部１１０で発生する最大の色ズレの幅（印刷精度）は、２ドットである。そして、図４（ｃ）では、色ズレが全く発生しない場合の各色の画像のエッヂ部分（境界部分）をエッヂＥ１とした場合、エッヂＥ１を基準としてプラス方向（有色部から無色部の方向）又はマイナス方向（無色部から有色部の方向）に最大２ドット分（２画素分）色ズレが発生することを示している。そして、図４（ｂ）では、この色ズレが影響している領域を色ズレ領域４０２ａとして図示している。図４（ａ）、図４（ｂ）に示すように、色ズレ領域４０２ａは、エッヂＥ１を基準としてプラス方向及びマイナス方向に２ドット幅ずつ拡張した帯状の領域となる。
【００４１】
図５は、この実施形態の印刷部１１０で印刷される画像（すなわち、エッヂ画素拡張画像６０２と色ズレ隠蔽用白画像６０３とを合成した画像、以下、「合成画像５０１」とも呼ぶ）の構成例について示した説明図である。
【００４２】
図５（ａ）は、合成画像５０１の全体について示した図である。図５（ｂ）は、図５（ａ）の一部の領域５０２（合成画像５０１のエッヂを含む領域）を拡大して示した説明図である。図５（ｃ）は、図５（ｂ）のＢ１−Ｂ２線断面において、エッヂ画素拡張画像６０２のみを図示した断面図である。また、図５（ｄ）は、図５（ｂ）のＢ１−Ｂ２線断面図である。すなわち、図５（ｄ）では、合成画像５０１（エッヂ画素拡張画像６０２及び色ズレ隠蔽用白画像６０３）の断面について示している。
【００４３】
図５において、エッヂＥ１は上述と同様に元画像（通常色印刷用イメージ６０１）のエッヂ部分（色ズレが無い場合の外縁部）を示している。また、図５において、エッヂＥ２はエッヂＥ１の２ドット（エッヂ拡張幅分）外側（無色側）の境界を示している。さらに、図５において、エッヂＥ３はエッヂＥ２の２ドット（エッヂ拡張幅分）外側（無色側）の境界を示している。したがって、図５において、エッヂＥ２は、エッヂ画素拡張画像６０２のエッヂ部分（色ズレが無い場合の外縁部）となる。また、図５において、エッヂＥ３は、色ズレ隠蔽用白画像６０３の無色部側（外側）のエッヂ部分（外縁部）となる。さらにまた、図５において、エッヂＥ１は、色ズレ隠蔽用白画像６０３の有色部側のエッヂ部分（内縁部）となる。
【００４４】
上述の通り、印刷部１１０において、色ズレ幅は最大２ドットである。したがって、用紙Ｐ上では、エッヂ画素拡張画像６０２のエッヂ部分（外縁部）は、エッヂＥ２を中心としてプラス方向又はマイナス方向に２ドットの範囲（すなわち、エッヂＥ１とエッヂＥ３との間）に収まることになる。言い換えると、用紙Ｐ上では、有色部（エッヂ画素拡張画像６０２）のエッヂ部分が、エッヂＥ２とエッヂＥ３との間の範囲に収まることになる。そして、この実施形態では用紙Ｐ上で、エッヂＥ２とエッヂＥ３との間の範囲には、色ズレ隠蔽用白画像６０３が最も上の層に形成されるため、その範囲内の有色部の画像は隠蔽色であるホワイト（無色部と同じ色）で隠蔽されることになる。したがって、用紙Ｐ上の見た目上の画像における有色部のエッヂ部分は色ズレ隠蔽用白画像６０３の内側のエッヂ部分（内縁部）であるエッヂＥ１となる。すなわち、用紙Ｐの見た目上の画像では、色ズレが発生していない状態となる。
【００４５】
なお、印刷部１１０では、隠蔽色であるホワイトと、その他の色（通常色）との間で相対的な色ズレが発生することになる。しかし、この実施形態では、隠蔽色であるホワイトと、その他の色（通常色）との間で相対的な色ズレの最大量が２ドットとなるため、その色ズレは、色ズレ隠蔽用白画像６０３の範囲（エッヂＥ２とエッヂＥ３との間の４ドットの幅の範囲）に収まる結果となる。
【００４６】
（Ａ−２）実施形態の動作
次に、以上のような構成を有するこの実施形態の画像形成装置１０１の動作の例（主として制御部１２０が行う画像処理）を説明する。
【００４７】
なお、エッヂ拡張処理部１０６及び色ズレ隠蔽用白画像作成部１０７が行う画像処理としては、結果として図６に示すようなエッヂ画素拡張画像６０２及び色ズレ隠蔽用白画像６０３が得られる処理であれば、具体的な処理手順（処理方法）は以下の例に限定されないものである。
【００４８】
[画像形成装置全体の動作]
画像形成装置１０１（制御部１２０）の全体動作の例について図９のフローチャートを用いて説明する。
【００４９】
図９のフローチャートで用いられるｎは、制御部１２０で図９の処理を行う際のループ回数を管理するための変数である。以下では、ｎの初期値は０であり、上限値（ループ回数）としてはエッヂ拡張幅である「２」（ドット）が適用されるものとして以下の処理を説明する。
【００５０】
まず、印刷データ受信部１０２が印刷データを受信する（ステップＳ１０１）。
【００５１】
次に、ＰＤＬ解析部１０３が、受信した印刷データから１ページ分の編集処理を実行する。１ページ分の編集処理が終わる都度、ＰＤＬ解析部１０３は、編集結果であるディスプレイコードリストを作成する（ステップＳ１０２）。
【００５２】
ページ画像形成部１０４は、ＰＤＬ解析部１０３が作成した編集結果であるディスプレイリストに基づき通常色印刷用イメージ６０１を作成する処理（レンダリング処理）を行う（ステップＳ１０３）。
【００５３】
レンダリングとは、図形情報や文字情報、イメージ情報や色情報の集まりであるディスプレイリストを具体的な画像化することを指すものとする。ページ画像形成部１０４は、レンダリング結果（通常色印刷用イメージ６０１）の色空間として、ＣＭＹＫカラーモデルで表現される２５６階調表現のイメージデータを作成するものとする。２５６階調を持つイメージデータの１値画素は、１Ｂｙｔｅ（８Ｂｉｔ）にて表現される。さらにＣＭＹＫカラーモデルの場合は４倍となり、１画素を４Ｂｙｔｅ（３２Ｂｉｔ）にて表現することになる。
【００５４】
次に、ページ画像形成部１０４が、通常色印刷用イメージ６０１を通常色印刷データ格納部１０５に格納する（ステップＳ１０４）。
【００５５】
次に、エッヂ拡張処理部１０６が、エッヂ拡張幅のパラメータ（設定値）を取得する（ステップＳ１０５）。エッヂ拡張処理部１０６は、例えば、予めプログラム等に設定された値をエッヂ拡張幅のパラメータとして保持するようにしてもよいし、ユーザからの操作（例えば、オペレータパネル１３０からの操作入力）に応じて適用するエッヂ拡張幅のパラメータを変更するようにしてもよい。
【００５６】
次に、エッヂ拡張処理部１０６及び色ズレ隠蔽用白画像作成部１０７は、それぞれ、通常色印刷データ格納部１０５に格納された通常色印刷用イメージデータを取得し、通常色印刷用イメージデータの先頭ポイントをエッヂ拡張処理、及び白画像作成処理への入力画像としてセットする（ステップＳ１０６）。
【００５７】
次に、色ズレ隠蔽用白画像作成部１０７が、白画像作成処理の出力先バッファのメモリ取得（メモリ確保）と初期化（クリア）を行う（ステップＳ１０７）。
【００５８】
次に、色ズレ隠蔽用白画像作成部１０７が、変数ｎを初期化（ｎ＝０）とする（ステップＳ１０７−１）。
【００５９】
そして、エッヂ拡張処理部１０６が、エッヂ拡張処理の出力先バッファの取得と初期化（クリア）行う（ステップＳ１０８）。
【００６０】
そして、エッヂ拡張処理部１０６が、エッヂ拡張処理（１ドット幅分のエッヂ拡張処理）を実施する（ステップＳ１０９）。
【００６１】
そして、色ズレ隠蔽用白画像作成部１０７は、白画像作成処理（色ズレ隠蔽用白画像６０３の領域の幅を２ドット幅分拡張する処理）を行う（ステップＳ１１０）。
【００６２】
次に、制御部１２０は、ｎをインクリメントしてｎがエッヂ拡張幅（２）に達したか否か（ｎ≦エッヂ拡張幅となったか否か）を確認する（ステップＳ１１１）。ｎがエッヂ拡張幅（２）に達した場合、制御部１２０は、後述するステップＳ１１３から動作し、そうでない場合後述するステップＳ１１２の処理から動作する。
【００６３】
ｎがエッヂ拡張幅（２）に達していない場合、エッヂ拡張処理部１０６及び色ズレ隠蔽用白画像作成部１０７は、上述のステップＳ１０９又はステップＳ１１０で処理した後の画像を入力画像としてセットする（Ｓ１１２）。そして、制御部１２０は、上述のステップＳ１０８の処理から動作する。
【００６４】
一方、ｎがエッヂ拡張幅（２）に達した場合、エッヂ拡張処理部１０６は上述のステップＳ１０９の処理後の画像をエッヂ画素拡張画像６０２として、印刷部１１０に供給する。また、色ズレ隠蔽用白画像作成部１０７は、上述のステップＳ１１０で処理した後の画像を、色ズレ隠蔽用白画像６０３として、印刷部１１０に供給する。そして、印刷部１１０では、エッヂ画素拡張画像６０２と色ズレ隠蔽用白画像６０３とを合成した画像（エッヂ画素拡張画像６０２の上から色ズレ隠蔽用白画像６０３を転写した画像）を用紙Ｐに印刷し（Ｓ１１３）処理を終了する。
【００６５】
次に、エッヂ拡張処理部１０６が行うエッヂ拡張処理、及び色ズレ隠蔽用白画像作成部１０７が行う色ズレ隠蔽用白画像作成処理の詳細について図７、図８を用いて説明する。
【００６６】
図７、図８に示すように、エッヂ拡張処理部１０６は、入力画像の各画素を注目画素とし、注目画素が有色部の場合、隣接する無色部の画素について注目画素と同じ画素値を適用し有色画像に変更（エッヂを拡張）する処理を行う。エッヂ拡張処理部１０６は、入力画像の全ての画素を注目画素としたフィルタ処理（注目画素を中心とする３×３画素の窓を用いた画像処理）を行うことにより、エッヂ拡張処理を行う。また、図７、図８に示すように色ズレ隠蔽用白画像６０３は、エッヂ拡張処理部１０６と同様の方式により拡張される領域（無色部から有色部に変更される領域）の画素を１００％濃度（ホワイトのベタ塗り）とした画像を色ズレ隠蔽用白画像６０３として取得する。
【００６７】
図７（ａ）は、入力画像における任意の位置の注目画素を中心とした３×３画素の領域について示している。図７（ｂ）、図７（ｃ）は、それぞれエッヂ拡張処理部１０６、色ズレ隠蔽用白画像作成部１０７により、図７（ａ）の画像（窓）が処理された後の状態を示している。図７（ａ）では注目画素Ｐ０のみが有色で、周囲に隣接する８個の画素Ｐ１〜Ｐ８は全て無色として図示している。この場合、エッヂ拡張処理部１０６は、図７（ｂ）に示すように、注目画素Ｐ０の周囲の８個の画素全てを有色に変更（注目画素Ｐ０と同じ画素値に変更）する処理を行う。また、この場合、色ズレ隠蔽用白画像作成部１０７は、図７（ｃ）に示すように、注目画素Ｐ０の周囲の８個の画素全てを、隠蔽色部に変更（ホワイトの濃度１００％の画素値に変更）する処理を行う。
【００６８】
図８（ａ）は、入力画像における任意の位置の注目画素を中心とした３×３画素の領域について示している。図８（ｂ）、図８（ｃ）は、それぞれエッヂ拡張処理部１０６、色ズレ隠蔽用白画像作成部１０７により、図８（ａ）の画像（窓）が処理された後の状態を示している。図８（ａ）では注目画素Ｐ０と、注目画素Ｐ０に隣接する３つの画素Ｐ５、Ｐ６、Ｐ７のみが有色で、その他の画素Ｐ１〜Ｐ４、Ｐ８が無色となっている。この場合、エッヂ拡張処理部１０６は、図８（ｂ）に示すように、注目画素Ｐ０に隣接する無色の画素Ｐ１〜Ｐ４、Ｐ８についてだけ、有色に変更（注目画素Ｐ０と同じ画素値に変更）する処理を行う。また、この場合、色ズレ隠蔽用白画像作成部１０７も同様に、図８（ｃ）に示すように、注目画素Ｐ０に隣接する無色の画素Ｐ１〜Ｐ４、Ｐ８についてだけ、隠蔽色部に変更（ホワイトの濃度１００％の画素値に変更）する処理を行う。
【００６９】
以上のように、エッヂ拡張処理部１０６及び色ズレ隠蔽用白画像作成部１０７は処理を行うことにより、エッヂ画素拡張画像６０２及び色ズレ隠蔽用白画像６０３が作成される。なお、ここでは、エッヂ拡張幅が２ドット、隠蔽色部の幅が４ドット（エッヂ拡張幅×２＝４）である。したがって、エッヂ拡張処理部１０６は、通常色印刷用イメージ６０１（元画像）のエッヂ部分の全ての画素を注目画素とする上述の処理を２周行う必要がある。また、色ズレ隠蔽用白画像作成部１０７は、通常色印刷用イメージ６０１（元画像）のエッヂ部分の全ての画素を注目画素とする上述の処理を４周行う必要がある。なお、色ズレ隠蔽用白画像作成部１０７は、エッヂ拡張処理部１０６の処理結果を利用（２周目までにエッヂ画素が拡張された領域を保持）して、３周目の処理から行うようにしてもよい。
【００７０】
次に、エッヂ拡張処理部１０６が上述のステップＳ１０９の処理例について図１０〜図１３を用いて説明する。
【００７１】
以下では、エッヂ拡張処理の入力画像のデータを「入力印刷データ」と呼び、エッヂ拡張処理の出力画像（エッヂ拡張処理後の画像）の画像データを「出力印刷データ」と呼ぶものとする。また、以下では、入力画像上の注目画素の位置（論理的な位置；座標）を注目画素ポイントと呼ぶものとする。さらに、以下では、出力画像上で、書込み対象（エッヂ拡張の対象）となる画素の位置（論理的な位置；座標）を、書き込み先画素ポイントと呼ぶものとする。さらにまた、以下では、注目画素の左側に隣接する画素の位置を「左端ポイント」と呼び、注目画素の右側に隣接する画素の位置を「右側ポイント」と呼ぶものとする。また、以下では、印刷部１１０で印刷される画像（１ページ分の画像）の左右方向の幅（ドット数）を印刷データ幅と呼ぶものとする。さらに、以下では、ループ処理内で、仮に用いられる注目画素ポイント及び書込み画素ポイントを、「テンポラリ注目画素ポイント」及び「テンポラリ書込み画素ポイント」と呼ぶものとする。
【００７２】
まず、エッヂ拡張処理部１０６は、注目画素ポイントの初期化を行う（ステップＳ２０１）。具体的には、エッヂ拡張処理部１０６は、入力印刷データの先頭画素ポイントを注目画素ポイントに設定する。
【００７３】
そして、エッヂ拡張処理部１０６は、書き込み先画素ポイントの初期化を行う。出力印刷データの先頭画層ポイントを書き込み先画素ポイントに設定する（ステップＳ２０２）。
【００７４】
そして、エッヂ拡張処理部１０６は、左端ポイントの初期化を行う（ステップＳ２０３）。具体的には、エッヂ拡張処理部１０６は、左端ポイントに入力印刷データの先頭画素ポイントをセットする。
【００７５】
そして、エッヂ拡張処理部１０６は、右端ポイントの初期化を行う（ステップＳ２０４）。具体的には、エッヂ拡張処理部１０６は、右端ポイントに入力印刷データの先頭画素ポイントに入力印刷データ幅を足しこんだ値をセットする。
【００７６】
そして、エッヂ拡張処理部１０６は、注目画素が有色かどうかの判定を行い（ステップＳ２０５）、有色であった場合は後述するステップＳ２０６に進み、無色であった場合には、後述するステップＳ２０７に進む。
【００７７】
そして、エッヂ拡張処理部１０６は、周辺画素の確認と出力印刷データ画素値の変更処理の実行を行う（ステップＳ２０６）。エッヂ拡張処理部１０６が行う周辺画素の確認と出力印刷データ画素値の変更処理の詳細については後述する。
【００７８】
そして、エッヂ拡張処理部１０６は、入力印刷データのすべての画素が処理されたかの判定を行う（ステップＳ２０７）。エッヂ拡張処理部１０６は、すべての画素の処理が完了していれば、エッヂ拡張処理を完了し、未完了であれば、後述するステップＳ２０８に進む。
【００７９】
未処理の画素が有る場合、エッヂ拡張処理部１０６は、注目画素ポイントと、右端ポイントの比較（位置の比較）を行い（ステップＳ２０８）、一致した場合、左端ポイントと右端ポイントを更新する為、後述するステップＳ２０９に進み、不一致であった場合、後述するステップＳ２１１に進む。
【００８０】
注目画素ポイントと、右端ポイントとが一致する場合、エッヂ拡張処理部１０６は、左端ポイント及び右端ポイントの更新を行う（ステップＳ２０９、Ｓ２１０）。具体的には、エッヂ拡張処理部１０６は、左端ポイントに現在の右端ポイント＋１の値をセットし、右端ポイントに左端ポイント＋入力印刷データ幅の値をセットする。
【００８１】
次に、エッヂ拡張処理部１０６は、注目画素ポイントの更新処理（注目画素ポイントに、現在の注目画素ポイント＋１の値をセット）し（Ｓ２１１）、上述のステップＳ２０５の処理に戻って動作する。
【００８２】
次に、エッヂ拡張処理部１０６が行う、上述のステップＳ２０６の処理（周辺画素の確認と出力印刷データ画素値の変更処理）について、図１１〜図１３を用いて説明する。
【００８３】
まず、エッヂ拡張処理部１０６は、書き込み画素ポイントヘ注目画素値の書き込みを行う（ステップＳ３０１）。
【００８４】
次に、エッヂ拡張処理部１０６は、テンポラリ注目画素ポイントの初期化を行う（ステップＳ３０２）。具体的には、エッヂ拡張処理部１０６は、テンポラリ注目画素ポイントに「注目画素ポイント−印刷データ幅−１」の値をセットする。
【００８５】
そして、エッヂ拡張処理部１０６は、テンポラリ書き込み画素ポイントの初期化を行う（ステップＳ３０３）。具体的には、エッヂ拡張処理部１０６は、テンポラリ書き込み画素ポイントに「書き込み画素ポイント−印刷データ幅−１」の値をセットする。
【００８６】
次に、エッヂ拡張処理部１０６は、テンポラリ注目画素ポイントが入力印刷データ内のポイント（位置）であるかを判定し（ステップＳ３０４）、入力印刷データ内であった場合は後述するステップＳ３０５に進み、入力印刷データ外であった場合には後述するステップＳ３０６に進む。
【００８７】
テンポラリ注目画素ポイントが入力印刷データ内のポイントである場合のみ、エッヂ拡張処理部１０６は、周辺画素変更処理を実行する（ステップＳ３０５）。エッヂ拡張処理部１０６が行う周辺画素変更処理の詳細については後述する。
【００８８】
次に、エッヂ拡張処理部１０６は、テンポラリ注目画素ポイントの更新を行う（ステップＳ３０６）。具体的には、エッヂ拡張処理部１０６は、テンポラリ注目画素ポイントに「テンポラリ注目画素ポイント＋１」をセットする。
【００８９】
そして、エッヂ拡張処理部１０６は、テンポラリ書き込み画素ポイントの更新を行う（ステップＳ３０７）。具体的には、エッヂ拡張処理部１０６は、テンポラリ書き込み画素ポイントに「テンポラリ書き込み画素ポイント＋１」をセットする。
【００９０】
次に、エッヂ拡張処理部１０６は、テンポラリ注目画素ポイントと、「注目画素ポイント−印刷データ幅＋２」との比較を行う（ステップＳ３０８）。エッヂ拡張処理部１０６は、テンポラリ注目画素ポイントと、「注目画素ポイント−印刷データ幅＋２」が一致した場合は、ステップＳ３０９に進み、不一致であった場合には、ステップＳ３０４に戻る。
【００９１】
テンポラリ注目画素ポイントと、「注目画素ポイント−印刷データ幅＋２」が一致した場合、エッヂ拡張処理部１０６は、テンポラリ注目画素ポイントの更新、及びテンポラリ書き込み画素ポイントの更新を行う（ステップＳ３０９、Ｓ３１０）。具体的には、エッヂ拡張処理部１０６は、テンポラリ注目画素ポイントに「注目画素ポイント−１」をセットし、テンポラリ書き込み画素ポイントに、「書き込み画素ポイント−１」をセットする。
【００９２】
次に、エッヂ拡張処理部１０６は、テンポラリ注目画素ポイントが入力印刷データ内のポイントであるかを判定する（ステップＳ３１１）。エッヂ拡張処理部１０６は、入力印刷データ内であった場合は、後述するステップＳ３１２に進み、入力印刷データ外であった場合には、後述するステップＳ３１３に進む。
【００９３】
テンポラリ注目画素ポイントが入力印刷データ内のポイントであった場合のみ、エッヂ拡張処理部１０６は、周辺画素変更処理を実行する（ステップＳ３１２）。エッヂ拡張処理部１０６が行う周辺画素変更処理の詳細については、後述する。
【００９４】
次に、エッヂ拡張処理部１０６は、テンポラリ注目画素ポイント、及びテンポラリ書き込み画素ポイントの更新を行う（ステップＳ３１３、Ｓ３１４）。具体的には、エッヂ拡張処理部１０６は、テンポラリ注目画素ポイントに「注目画素ポイント＋１」をセットし、テンポラリ書き込み画素ポイントに「書込み画素ポイント＋１」の値をセットする。
【００９５】
次に、エッヂ拡張処理部１０６は、テンポラリ注目画素ポイントが入力印刷データ内のポイントであるかを判定する（ステップＳ３１５）。エッヂ拡張処理部１０６は、テンポラリ注目画素ポイントが入力印刷データ内であった場合は、後述するステップＳ３１６に進み、入力印刷データ外であった場合には、後述するステップＳ３１７に進む。
【００９６】
テンポラリ注目画素ポイントが入力印刷データ内であった場合のみ、エッヂ拡張処理部１０６は、周辺画素変更処理を実行する（ステップＳ３１６）。エッヂ拡張処理部１０６が行う周辺画素変更処理の詳細については後述する。
【００９７】
次に、エッヂ拡張処理部１０６は、テンポラリ注目画素ポイントの初期化を行う（ステップＳ３１７）。具体的には、エッヂ拡張処理部１０６は、テンポラリ注目画素ポイントに「注目画素ポイント＋印刷データ幅−１」の値をセットする。
【００９８】
そして、エッヂ拡張処理部１０６は、テンポラリ書き込み画素ポイントの初期化を行う（ステップＳ３１８）。具体的には、エッヂ拡張処理部１０６は、テンポラリ書き込み画素ポイントに「書き込み画素ポイント＋印刷データ幅−１」の値をセットする。
【００９９】
次に、エッヂ拡張処理部１０６は、テンポラリ注目画素ポイントが入力印刷データ内のポイントであるかを判定する（ステップＳ３１９）。エッヂ拡張処理部１０６は、入力印刷データ内であった場合は、ステップＳ３２０に進み、入力印刷データ外であった場合にはステップＳ３２１に進む。
【０１００】
そして、テンポラリ注目画素ポイントが入力印刷データ内のポイントである場合に、エッヂ拡張処理部１０６は、周辺画素変更処理を実行する（ステップＳ３２０）。エッヂ拡張処理部１０６が行う周辺画素変更処理の詳細については後述する。
【０１０１】
次に、エッヂ拡張処理部１０６は、テンポラリ注目画素ポイント、及びテンポラリ書き込み画素ポイントの更新を行う（ステップＳ３２１、Ｓ３２２）。具体的には、エッヂ拡張処理部１０６は、テンポラリ注目画素ポイントに「テンポラリ注目画素ポイント＋１」をセットし、テンポラリ書き込み画素ポイントに「テンポラリ書き込み画素ポイント＋１」をセットする。
【０１０２】
次に、エッヂ拡張処理部１０６は、テンポラリ注目画素ポイントと、「注目画素ポイント＋印刷データ幅＋２」との比較を行う（ステップＳ３２３）。エッヂ拡張処理部１０６は、テンポラリ注目画素ポイントと、「注目画素ポイント＋印刷データ幅＋２」が一致した場合は、当該フローチャートの処理（周辺画素の確認と出力印刷データ画素値の変更処理）を完了し、不一致であった場合には、上述のステップＳ３１９に戻る。
【０１０３】
次に、エッヂ拡張処理部１０６が上述のステップＳ３０５、Ｓ３１２、Ｓ３１６、Ｓ３２０で行う、周辺画素変更処理の詳細について図１３を用いて説明する。
【０１０４】
まず、エッヂ拡張処理部１０６は、テンポラリ注目画素ポイントと「左端ポイント−１」と比較を行い（ステップＳ４０１）、一致していた場合、周辺画素変更処理を完了し、不一致であった場合には後述するステップＳ４０２に進む。
【０１０５】
テンポラリ注目画素ポイントと「左端ポイント−１」とが一致する場合、エッヂ拡張処理部１０６は、テンポラリ注目画素ポイントと「右端ポイント＋１」との比較を行い（ステップＳ４０２）、一致していた場合周辺画素変更処理を終了し、不一致であった場合には後述するステップＳ４０３に進む。
【０１０６】
テンポラリ注目画素ポイントと「右端ポイント＋１」とが一致する場合、エッヂ拡張処理部１０６は、テンポラリ注目画素値が有色であるかを判定し（ステップＳ４０３）、有色であった場合には周辺画素変更処理を終了し、無色であった場合は、後述するステップＳ４０４に進む。
【０１０７】
テンポラリ注目画素値が有色である場合、エッヂ拡張処理部１０６は、テンポラリ書き込み画素ポイントヘ注目画素の画素値を書き込み（ステップＳ４０４）周辺画素変更処理を終了する。
【０１０８】
次に、色ズレ隠蔽用白画像作成部１０７が行う、上述のステップＳ１１０の処理例について図１４〜図１７を用いて説明する。
【０１０９】
以下では、色ズレ隠蔽用白画像作成処理の入力画像のデータを「入力印刷データ」と呼び、色ズレ隠蔽用白画像作成処理の出力画像（色ズレ隠蔽用白画像作成処理後の画像）の画像データを「出力印刷データ」と呼ぶものとする。また、以下では、入力画像上の注目画素の位置（論理的な位置；座標）を注目画素ポイントと呼ぶものとする。さらに、以下では、出力画像上で、書込み対象（色ズレ隠蔽用白画像の対象）となる画素の位置（論理的な位置；座標）を、書き込み先画素ポイントと呼ぶものとする。さらにまた、以下では、注目画素の左側に隣接する画素の位置を「左端ポイント」と呼び、注目画素の右側に隣接する画素の位置を「右側ポイント」と呼ぶものとする。また、以下では、印刷部１１０で印刷される画像（１ページ分の画像）の左右方向の幅（ドット数）を印刷データ幅と呼ぶものとする。さらに、以下では、ループ処理内で、仮に用いられる注目画素ポイント及び書込み画素ポイントを、「テンポラリ注目画素ポイント」及び「テンポラリ書込み画素ポイント」と呼ぶものとする。
【０１１０】
色ズレ隠蔽用白画像作成部１０７は、まず、注目画素ポイントの初期化を行う（ステップＳ５０１）。具体的には、色ズレ隠蔽用白画像作成部１０７は、入力印刷データの先頭画素ポイントを注目画素ポイントに設定する。
【０１１１】
そして、色ズレ隠蔽用白画像作成部１０７は、書き込み先画素ポイントの初期化を行う（ステップＳ５０２）。具体的には、色ズレ隠蔽用白画像作成部１０７は、色ズレ隠蔽用白画像格納バッファの先頭画層ポイントを書き込み先画素ポイントに設定する。
【０１１２】
次に、色ズレ隠蔽用白画像作成部１０７は、左端ポイント及び右端ポイントの初期化を行う（ステップＳ５０３、Ｓ５０４）。具体的には、色ズレ隠蔽用白画像作成部１０７は、左端ポイントに入力印刷データの先頭画素ポイントをセットする。また、色ズレ隠蔽用白画像作成部１０７は、右端ポイントに入力印刷データの先頭画素ポイントに入力印刷データ幅を足しこんだ値をセットする。
【０１１３】
次に、色ズレ隠蔽用白画像作成部１０７は、注目画素が有色かどうかの判定を行い（ステップＳ５０５）、有色であった場合はステップＳ５０６に進み、無色であった場合には、ステップＳ５０７に進む。
【０１１４】
そして、注目画素が有色だった場合だけ、色ズレ隠蔽用白画像作成部１０７は、周辺画素の確認と色ズレ隠蔽用白画像格納バッファ画素値の変更処理の実行を行う（ステップＳ５０６）。色ズレ隠蔽用白画像作成部１０７が行う周辺画素の確認と色ズレ隠蔽用白画像格納バッファ画素値の変更処理の詳細については後述する。
【０１１５】
次に、色ズレ隠蔽用白画像作成部１０７は、入力印刷データのすべての画素が処理されたかの判定を行い（ステップＳ５０７）、すべての画素の処理が完了していれば、エッヂ拡張処理を完了し、未処理の画素があった場合には、後述するステップＳ５０８に進む。
【０１１６】
未処理の画素があった場合、色ズレ隠蔽用白画像作成部１０７は、注目画素ポイントと、右端ポイントの比較を行い（ステップＳ５０８）、一致した場合、左端ポイントと、右端ポイントを更新する為、ステップＳ５０９に進み、不一致であった場合、ステップＳ５１１に進む。
【０１１７】
注目画素ポイントと、右端ポイントが一致する場合、色ズレ隠蔽用白画像作成部１０７は、左端ポイント、及び右端ポイントの更新を行う（ステップＳ５０９、Ｓ５１０）。具体的には、色ズレ隠蔽用白画像作成部１０７は、左端ポイントに現在の右端ポイント＋１の値をセットし、右端ポイントに左端ポイント＋入力印刷データ幅の値をセットする。
【０１１８】
次に、色ズレ隠蔽用白画像作成部１０７は、注目画素ポイントの更新処理（注目画素ポイントに、現在の注目画素ポイント＋１の値をセット）し（Ｓ５１１）、上述のステップＳ５０５の処理に戻って動作する。
【０１１９】
次に、色ズレ隠蔽用白画像作成部１０７が、上述のステップＳ５０６で行う周辺画素の確認と色ズレ隠蔽用白画像格納バッファ画素値の変更処理について、図１５〜図１７を用いて説明する。
【０１２０】
まず、色ズレ隠蔽用白画像作成部１０７は、書き込み画素ポイントヘ注目画素値の書き込みを行う（ステップＳ６０１）。
【０１２１】
次に、色ズレ隠蔽用白画像作成部１０７は、テンポラリ注目画素ポイントの初期化を行う（ステップＳ６０２）。具体的には、色ズレ隠蔽用白画像作成部１０７は、テンポラリ注目画素ポイントに「注目画素ポイント−印刷データ幅−１」の値をセットする。
【０１２２】
そして、色ズレ隠蔽用白画像作成部１０７は、テンポラリ書き込み画素ポイントの初期化を行う（ステップＳ６０３）。具体的には、色ズレ隠蔽用白画像作成部１０７は、テンポラリ書き込み画素ポイントに「書き込み画素ポイント−印刷データ幅−１」の値をセットする。
【０１２３】
次に、色ズレ隠蔽用白画像作成部１０７は、テンポラリ注目画素ポイントが入力印刷データ内のポイントであるかを判定し（ステップＳ６０４）、入力印刷データ内であった場合は後述するステップＳ６０５に進み、入力印刷データ外であった場合には後述するステップＳ６０６に進む。
【０１２４】
テンポラリ注目画素ポイントが入力印刷データ内のポイントであった場合、色ズレ隠蔽用白画像作成部１０７は、ズレ隠蔽用白画像格納バッファ変更処理を実行する（ステップＳ６０５）。色ズレ隠蔽用白画像作成部１０７が行うズレ隠蔽用白画像格納バッファ処理の詳細については後述する。
【０１２５】
次に、色ズレ隠蔽用白画像作成部１０７は、テンポラリ注目画素ポイント、及びテンポラリ書き込み画素ポイントの更新を行う（ステップＳ６０６、Ｓ６０７）。具体的には、色ズレ隠蔽用白画像作成部１０７は、テンポラリ注目画素ポイントに「テンポラリ注目画素ポイント＋１」をセットし、テンポラリ書き込み画素ポイントに「テンポラリ書き込み画素ポイント＋１」をセットする。
【０１２６】
次に、色ズレ隠蔽用白画像作成部１０７は、テンポラリ注目画素ポイントと、「注目画素ポイント−印刷データ幅＋２」との比較を行い（ステップＳ６０８）、テンポラリ注目画素ポイントと「注目画素ポイント−印刷データ幅＋２」が一致した場合は後述するステップＳ６０９に進み、不一致であった場合には、上述のステップＳ６０４に戻る。
【０１２７】
テンポラリ注目画素ポイントと「注目画素ポイント−印刷データ幅＋２」が一致した場、色ズレ隠蔽用白画像作成部１０７は、テンポラリ注目画素ポイント、及びテンポラリ書き込み画素ポイントの更新を行う（ステップＳ６０９、Ｓ６１０）。具体的には、色ズレ隠蔽用白画像作成部１０７は、テンポラリ注目画素ポイントに「注目画素ポイント−１」をセットし、テンポラリ書き込み画素ポイントに、「書き込み画素ポイント−１」をセットする。
【０１２８】
次に、色ズレ隠蔽用白画像作成部１０７は、テンポラリ注目画素ポイントが入力印刷データ内のポイントであるかを判定し（ステップＳ６１１）、入力印刷データ内であった場合は後述するステップＳ６１２に進み、入力印刷データ外であった場合には後述するステップＳ６１３に進む。
【０１２９】
テンポラリ注目画素ポイントが入力印刷データ内のポイントであった場合のみ、色ズレ隠蔽用白画像作成部１０７は、ズレ隠蔽用白画像格納バッファ処理を実行する（ステップＳ６１２）。色ズレ隠蔽用白画像作成部１０７が行うズレ隠蔽用白画像格納バッファ変更処理の詳細については後述する。
【０１３０】
次に、色ズレ隠蔽用白画像作成部１０７は、テンポラリ注目画素ポイント及びテンポラリ書き込み画素ポイントの更新を行う（ステップＳ６１３、Ｓ６１４）。具体的には、色ズレ隠蔽用白画像作成部１０７は、テンポラリ注目画素ポイントに「注目画素ポイント＋１」をセットし、テンポラリ書き込み画素ポイントに「書き込み画素ポイント＋１」をセットする。
【０１３１】
次に、色ズレ隠蔽用白画像作成部１０７は、テンポラリ注目画素ポイントが入力印刷データ内のポイントであるかを判定し（ステップＳ６１５）、入力印刷データ内であった場合は後述するステップＳ６１６に進み、入力印刷データ外であった場合には後述するステップＳ６１７に進む。
【０１３２】
そして、テンポラリ注目画素ポイントが入力印刷データ内のポイントである場合のみ、色ズレ隠蔽用白画像作成部１０７は、ズレ隠蔽用白画像格納バッファ変更処理を実行する（ステップＳ６１６）。色ズレ隠蔽用白画像作成部１０７が行うズレ隠蔽用白画像格納バッファ変更処理の詳細については後述する。
【０１３３】
次に、色ズレ隠蔽用白画像作成部１０７は、テンポラリ注目画素ポイント、及びテンポラリ書き込み画素ポイントの初期化を行う（ステップＳ６１７、Ｓ６１８）。具体的には、色ズレ隠蔽用白画像作成部１０７は、テンポラリ注目画素ポイントに「注目画素ポイント＋印刷データ幅−１」の値をセットし、テンポラリ書き込み画素ポイントに「書き込み画素ポイント＋印刷データ幅−１」の値をセットする。
【０１３４】
次に、色ズレ隠蔽用白画像作成部１０７は、テンポラリ注目画素ポイントが入力印刷データ内のポイントであるかを判定し（ステップＳ６１９）、入力印刷データ内であった場合は後述するステップＳ６２０に進み、入力印刷データ外であった場合には後述するステップＳ６２１に進む。
【０１３５】
そして、テンポラリ注目画素ポイントが入力印刷データ内のポイントである場合のみ、色ズレ隠蔽用白画像作成部１０７は、ズレ隠蔽用白画像格納バッファ変更処理を実行する（ステップＳ６２０）。色ズレ隠蔽用白画像作成部１０７が行うズレ隠蔽用白画像格納バッファ変更処理の詳細については後述する。
【０１３６】
次に、色ズレ隠蔽用白画像作成部１０７は、テンポラリ注目画素ポイント及びテンポラリ書き込み画素ポイントの更新を行う（ステップＳ６２１、Ｓ６２２）。具体的には、色ズレ隠蔽用白画像作成部１０７は、テンポラリ注目画素ポイントに「テンポラリ注目画素ポイント＋１」をセットし、テンポラリ書き込み画素ポイントに「テンポラリ書き込み画素ポイント＋１」をセットする。
【０１３７】
次に、色ズレ隠蔽用白画像作成部１０７は、テンポラリ注目画素ポイントと、「注目画素ポイント＋印刷データ幅＋２」との比較を行う（ステップＳ６２３）。色ズレ隠蔽用白画像作成部１０７は、テンポラリ注目画素ポイントと「注目画素ポイント＋印刷データ幅＋２」とが一致した場合は、周辺画素の確認と出力印刷データ画素値の変更処理を完了し、不一致であった場合には、上述のステップＳ６１９に戻る。
【０１３８】
次に、色ズレ隠蔽用白画像作成部１０７が、上述のステップＳ６０５、Ｓ６１２、Ｓ６１６、Ｓ６２０で行うズレ隠蔽用白画像格納バッファ変更処理の詳細について、図１７を用いて説明する。
【０１３９】
まず、色ズレ隠蔽用白画像作成部１０７は、テンポラリ注目画素ポイントと「左端ポイント−１」と比較し（ステップＳ７０１）、一致していた場合、ズレ隠蔽用白画像格納バッファ変更処理を終了し、不一致であった場合、後述するステップＳ７０２に進む。
【０１４０】
テンポラリ注目画素ポイントと「左端ポイント−１」とが不一致の場合、色ズレ隠蔽用白画像作成部１０７は、テンポラリ注目画素ポイントと「右端ポイント＋１」との比較を行い（ステップＳ７０２）、一致していた場合には、ズレ隠蔽用白画像格納バッファ変更処理を終了し、不一致であった場合には後述するステップＳ７０３に進む。
【０１４１】
テンポラリ注目画素ポイントと「右端ポイント＋１」とが不一致の場合、色ズレ隠蔽用白画像作成部１０７は、テンポラリ注目画素値が有色であるかを判定し（ステップＳ７０３）、有色であった場合はズレ隠蔽用白画像格納バッファ変更処理を終了し、無色であった場合は、後述するステップＳ７０４に進む。
【０１４２】
テンポラリ注目画素値が無色であった場合、色ズレ隠蔽用白画像作成部１０７は、テンポラリ書き込み画素ポイントヘ１００％濃度の画素値を書き込み（ステップＳ７０４）、ズレ隠蔽用白画像格納バッファ変更処理を終了する。
【０１４３】
（Ａ−３）実施形態の効果
この実施形態によれば、以下のような効果を奏することができる。
【０１４４】
画像形成装置１０１（画像処理装置としての制御部１２０）は、通常色印刷用イメージ６０１に基づいて、エッヂ画素拡張画像６０２及び色ズレ隠蔽用白画像６０３を作成し、合成した画像を印刷部１１０に供給して用紙Ｐに印刷させている。これにより、画像形成装置１０１では、有色部と無色部の境界に発生する色ズレ領域を隠蔽色であるホワイトで隠蔽するため、有色部と無色部の境界に色ズレ領域の発生しない良好な印刷結果を得ることが可能になる。
【０１４５】
また、画像形成装置１０１（制御部１２０）は、予測される色ズレの分、元画像をエッヂ拡張処理していることから、印刷される画像（描画されるオブジェクト）の形が変化しない（印刷品質を低下させない）。
【０１４６】
（Ｂ）他の実施形態
本発明は、上記の実施形態に限定されるものではなく、以下に例示するような変形実施形態も挙げることができる。
【０１４７】
（Ｂ−１）上記の実施形態では、図９〜図１７に示されるような方式でエッヂ検出の処理やエッヂ拡張（画像拡張）を行っているが、エッヂ検出方法や、画像拡張方法は上述の例に限定されず、種々の方式に置き換えて適用することができる。
【０１４８】
（Ｂ−２）上記の実施形態では、本発明の画像処理装置及び画像形成装置をプリンタとしての画像形成装置に適用する例について説明したが、複写機（コピー機）、ＦＡＸ、複合機等の他の画像形成装置に適用するようにしてもよい。
【０１４９】
また、上記の実施形態では、本発明の画像処理装置を、画像形成装置１０１に搭載された制御部１２０として実現する例について示したが、制御部１２０において画像処理を行う構成要素（主として、ページ画像形成部１０４、エッヂ拡張処理部１０６及び色ズレ隠蔽用白画像作成部１０７を含む構成要素）を独立した装置又はプログラムとして実現するようにしてもよい。例えば、制御部１２０において画像処理を行う構成要素をホストコンピュータ側（例えば、プリンタドライバ）で実現するようにしてもよい。
【符号の説明】
【０１５０】
１０１…画像形成装置、１２０…制御部、１３０…オペレータパネル、１０２…印刷データ受信部、１０３…ＰＤＬデータ解析部、１０４…ページ画像形成部、１０５…通常色印刷データ格納部、１０６…エッヂ拡張処理部、１０７…色ズレ隠蔽用白画像作成部、１１０…印刷部、２０１、２０１Ｂ、２０１Ｃ、２０１Ｍ、２０１Ｙ、２０１Ｗ…感光ドラム、２０２…ＬＥＤヘッド、２０３…給紙トレイ、２０４…転写ベルト、２０５…帯電ローラ、２０６…現像ローラ、２０７…トナーカートリッジ、２０８…転写ローラ、２１０…定着器、Ｐ…用紙。
【図１】
2016071067.tif 000003
【図２】
2016071067.tif 000004
【図３】
2016071067.tif 000005
【図４】
2016071067.tif 000006
【図５】
2016071067.tif 000007
【図６】
2016071067.tif 000008
【図７】
2016071067.tif 000009
【図８】
2016071067.tif 000010
【図９】
2016071067.tif 000011
【図１０】
2016071067.tif 000012
【図１１】
2016071067.tif 000013
【図１２】
2016071067.tif 000014
【図１３】
2016071067.tif 000015
【図１４】
2016071067.tif 000016
【図１５】
2016071067.tif 000017
【図１６】
2016071067.tif 000018
【図１７】
2016071067.tif 000019